(57)【要約】【課題】ＳＤＬの実際の実施時刻を、所定時刻前あるいは電源オンオフ時に通知すると共に、ＳＤＬ対象のソフトウェアの重要度に応じた処理を行うことが可能なデジタル放送受信装置及びデジタル放送送信装置を提供する。【解決手段】デジタル放送送信装置は、実施するＳＤＬの重要度をＳＤＬ実施時刻情報と共にＳＤＬに先立って送信する。デジタル放送受信装置は、受信したＳＤＬの重要度に応じてＳＤＬ実施時刻前までＳＤＬ実施時刻をユーザに通知し、また、番組表表示画面にＳＤＬ実施時刻を表示し、ユーザにダウンロード可能な状態にしておくことを促す。【選択図】図１
2006287406.tif 000002
【特許請求の範囲】
【請求項１】
少なくともソフトウェアダウンロードデータの重要度及び実施予定時刻を含むトリガデータを受信する受信手段と、
前記受信手段が受信する前記トリガデータを蓄積する蓄積手段と、
前記蓄積手段が蓄積する前記トリガデータの前記重要度を判定する判定手段と、
前記判定手段の判定結果に基づいて所定の処理を実行する制御手段と、
を具備することを特徴とするデジタル放送受信装置。
【請求項２】
ソフトウェアダウンロードに関する情報を表示する表示手段を更に備え、
前記制御手段は、前記判定手段の判定結果に基づいて、前記蓄積手段が蓄積する前記実施予定時刻を前記表示手段に表示させることを特徴とする請求項１記載のデジタル放送受信装置。
【請求項３】
電源状態を管理する電源管理手段を更に備え、
前記制御手段は、前記判定手段の判定結果及び前記電源管理手段が管理する前記電源状態に基づいて、前記蓄積手段が蓄積する前記実施予定時刻を前記表示手段に表示させることを特徴とする請求項２記載のデジタル放送受信装置。
【請求項４】
ソフトウェアダウンロードに関する情報を番組表に合成表示する番組表表示手段を更に備え、
前記制御手段は、前記判定手段の判定結果に基づいて、前記蓄積手段が蓄積する前記実施予定時刻を前記番組表表示手段に合成表示させることを特徴とする請求項１記載のデジタル放送受信装置。
【請求項５】
番組の予約情報を管理する予約管理手段と、
前記予約管理手段が管理する前記予約情報と前記蓄積手段が蓄積する前記実施予定時刻との重複を判定する重複判定手段と、
所定の通知画面を表示する通知画面表示手段を更に備え、
前記制御手段は、前記重複判定手段の重複判定結果及び前記判定手段の判定結果に基づいて、前記通知画面表示手段に所定の前記通知画面を表示させることを特徴とする請求項１記載のデジタル放送受信装置。
【請求項６】
前記制御手段は、前記重複判定手段が重複と判定し、かつ、前記判定手段がソフトウェアダウンロードデータの重要度を大と判定した場合、ソフトウェアダウンロードを優先させる通知画面を前記通知画面表示手段に表示させることを特徴とする請求項５記載のデジタル放送受信装置。
【請求項７】
ソフトウェアダウンロードデータを蓄積するソフトウェア蓄積手段と、
少なくとも前記ソフトウェア蓄積手段が蓄積する前記ソフトウェアダウンロードデータの重要度及び実施予定時刻に関する情報を含むトリガデータを作成するトリガデータ作成手段と、
前記トリガデータ作成手段が作成する前記トリガデータを送信する送信手段と、
を具備することを特徴とするデジタル放送送信装置。
【請求項８】
前記送信手段は、前記トリガデータ作成手段が作成する前記トリガデータを、前記ソフトウェア蓄積手段が蓄積する前記ソフトウェアダウンロードデータの送信前に送信することを特徴とする請求項７記載のデジタル放送送信装置。
【請求項９】
少なくともソフトウェアダウンロードデータの重要度及び実施予定時刻を含むトリガデータを受信するステップと、
前記トリガデータを蓄積するステップと、
蓄積された前記トリガデータの前記重要度を判定するステップと、
前記判定結果に基づいて、蓄積された前記トリガデータの前記実施予定時刻を表示するステップと、
を具備することを特徴とするデジタル放送受信方法。
【請求項１０】
少なくともソフトウェアダウンロードデータの重要度及び実施予定時刻を含むトリガデータを受信するステップと、
前記トリガデータを蓄積するステップと、
蓄積された前記トリガデータの前記重要度を判定するステップと、
前記判定結果に基づいて、蓄積された前記トリガデータの前記実施予定時刻を番組表に合成表示するステップと、
を具備することを特徴とするデジタル放送受信方法。
【請求項１１】
少なくともソフトウェアダウンロードデータの重要度及び実施予定時刻を含むトリガデータを受信するステップと、
前記トリガデータを蓄積するステップと、
番組の予約情報を蓄積するステップと、
蓄積された前記予約情報と蓄積された前記トリガデータの前記実施予定時刻との重複を判定するステップと、
蓄積された前記トリガデータの前記重要度を判定するステップと、
前記重複判定結果及び前記重要度判定結果に基づいて、所定の通知画面を表示するステップと、
を具備することを特徴とするデジタル放送受信方法。
【請求項１２】
ソフトウェアダウンロードデータを蓄積するステップと、
少なくとも蓄積された前記ソフトウェアダウンロードデータの重要度及び実施予定時刻に関する情報を含むトリガデータを作成するステップと、
作成された前記トリガデータを送信するステップと、
を具備することを特徴とするデジタル放送送信方法。
【発明の詳細な説明】
【技術分野】
【０００１】
本発明は、デジタル放送受信装置及びデジタル放送送信装置に関し、更に詳しくは、デジタル放送送信装置が更新用ソフトウェアをデジタル放送波に乗せてデジタル放送受信装置へ送信し、デジタル放送受信装置は受信した更新用ソフトウェアに基づいて内部のソフトウェアを更新することが可能なデジタル放送受信装置及びデジタル放送送信装置に関する。
【背景技術】
【０００２】
従来、受信装置においてソフトウェアダウンロード（以下、ＳＤＬと称す）を実施する場合、ＳＤＬ完了後にＳＤＬ実施状況をユーザに通知する送受信装置が公知である（例えば、特許文献１参照）。
【０００３】
上記送受信装置は、ソフトウェア名とバージョン番号からＳＤＬに失敗したかどうかを判定し、失敗した場合に、ユーザにＳＤＬ失敗を通知する画面を表示する。また、ＳＤＬ実施のために、ユーザが視聴をあまりしない時間帯や中断しても良い時間長を設定することができ、その設定された内容に基づき、視聴しない時間帯にＳＤＬを実行し、また、たとえユーザが番組視聴を行っている場合でも、中断しても良い時間長だけ番組視聴を中断し、ＳＤＬを実施することができる。
【０００４】
一方、ＳＤＬの実施状況を常時ユーザに通知するデータダウンロード制御システムも公知である（例えば、特許文献２参照）。
【０００５】
上記データダウンロード制御システムは、ＳＤＬ実施時刻が来た場合に、ユーザにＳＤＬが開始される旨を通知する画面を表示する。また、ＳＤＬが後刻実施される場合に、後刻ＳＤＬが実施される旨を表示する画面を表示することができる。
【特許文献１】特開平１１−１９４９４３号公報
【特許文献２】特開２０００−２７８６２１号公報
【発明の開示】
【発明が解決しようとする課題】
【０００６】
しかしながら、上記特許文献１記載の送受信装置では、ユーザに視聴しない時間帯等の時間帯を設定させるだけでＳＤＬの実際の実施時刻を前もって表示していないために、例えば、ユーザが視聴しないと予め設定した時間帯においても、電源コンセントを切断したり、主電源をオフさせたりしてＳＤＬの実施率を低下させてしまうという問題があった。
【０００７】
また、ＳＤＬ対象のソフトウェアには送信側で重要度が決定されているが、上記特許文献２記載のデータダウンロード制御システムでは、受信側の装置の動作を左右するような緊急レベルのＳＤＬと、ソフトウェアの更新等の通常レベルのＳＤＬを同レベルとして処理しているため、ＳＤＬの重要度に応じた処理ができず、例えば、受信装置に致命的な問題が発生した場合でも、その問題を修正するＳＤＬを優先することができないという問題があった。また、重要度の低いＳＤＬを実施する場合にでも、ＳＤＬの実施状況を常時ユーザに通知することは、ユーザにとってわずらわしく、利便性を低下させてしまうという問題があった。
【０００８】
本発明は、上記事情に鑑みてなされたもので、ＳＤＬの実際の実施時刻を、所定時刻前あるいは電源オンオフ時に通知すると共に、ＳＤＬ対象のソフトウェアの重要度に応じた処理を行うことが可能なデジタル放送受信装置及びデジタル放送送信装置を提供することを目的とする。
【課題を解決するための手段】
【０００９】
本発明の第１の発明に係るデジタル放送受信装置は、少なくともソフトウェアダウンロードデータの重要度及び実施予定時刻を含むトリガデータを受信する受信手段と、受信手段が受信するトリガデータを蓄積する蓄積手段と、蓄積手段が蓄積するトリガデータの重要度を判定する判定手段と、判定手段の判定結果に基づいて所定の処理を実行する制御手段と、を具備することを特徴とする。
【００１０】
また、本発明の第２の発明に係るデジタル放送受信装置は、本発明の第１の発明に係るデジタル放送受信装置の構成において、ソフトウェアダウンロードに関する情報を表示する表示手段を更に備え、制御手段は、判定手段の判定結果に基づいて、蓄積手段が蓄積する実施予定時刻を表示手段に表示させることを特徴とする。
【００１１】
また、本発明の第３の発明に係るデジタル放送受信装置は、本発明の第２の発明に係るデジタル放送受信装置の構成において、電源状態を管理する電源管理手段を更に備え、制御手段は、判定手段の判定結果及び電源管理手段が管理する電源状態に基づいて、蓄積手段が蓄積する実施予定時刻を表示手段に表示させることを特徴とする。
【００１２】
本発明の第４の発明に係るデジタル放送受信装置は、本発明の第１の発明に係るデジタル放送受信装置の構成において、ソフトウェアダウンロードに関する情報を番組表に合成表示する番組表表示手段を更に備え、制御手段は、判定手段の判定結果に基づいて、蓄積手段が蓄積する実施予定時刻を番組表表示手段に合成表示させることを特徴とする。
【００１３】
本発明の第５の発明に係るデジタル放送受信装置は、本発明の第１の発明に係るデジタル放送受信装置の構成において、番組の予約情報を管理する予約管理手段と、予約管理手段が管理する予約情報と蓄積手段が蓄積する実施予定時刻との重複を判定する重複判定手段と、所定の通知画面を表示する通知画面表示手段を更に備え、制御手段は、重複判定手段の重複判定結果及び判定手段の判定結果に基づいて、通知画面表示手段に所定の通知画面を表示させることを特徴とする。
【００１４】
本発明の第６の発明に係るデジタル放送受信装置は、本発明の第５の発明に係るデジタル放送受信装置の構成において、制御手段は、重複判定手段が重複と判定し、かつ、判定手段がソフトウェアダウンロードデータの重要度を大と判定した場合、ソフトウェアダウンロードを優先させる通知画面を通知画面表示手段に表示させることを特徴とする。
【００１５】
本発明の第７の発明に係るデジタル放送送信装置は、ソフトウェアダウンロードデータを蓄積するソフトウェア蓄積手段と、少なくともソフトウェア蓄積手段が蓄積するソフトウェアダウンロードデータの重要度及び実施予定時刻に関する情報を含むトリガデータを作成するトリガデータ作成手段と、トリガデータ作成手段が作成するトリガデータを送信する送信手段と、を具備することを特徴とする。
【００１６】
本発明の第８の発明に係るデジタル放送送信装置は、本発明の第７の発明に係るデジタル放送送信装置の構成において、送信手段は、トリガデータ作成手段が作成するトリガデータを、ソフトウェア蓄積手段が蓄積するソフトウェアダウンロードデータの送信前に送信することを特徴とする。
【００１７】
本発明の第９の発明に係るデジタル放送受信方法は、少なくともソフトウェアダウンロードデータの重要度及び実施予定時刻を含むトリガデータを受信するステップと、トリガデータを蓄積するステップと、蓄積されたトリガデータの重要度を判定するステップと、判定結果に基づいて、蓄積されたトリガデータの実施予定時刻を表示するステップと、を具備することを特徴とする。
【００１８】
本発明の第１０の発明に係るデジタル放送受信方法は、少なくともソフトウェアダウンロードデータの重要度及び実施予定時刻を含むトリガデータを受信するステップと、トリガデータを蓄積するステップと、蓄積されたトリガデータの重要度を判定するステップと、判定結果に基づいて、蓄積されたトリガデータの実施予定時刻を番組表に合成表示するステップと、を具備することを特徴とする。
【００１９】
本発明の第１１の発明に係るデジタル放送受信方法は、少なくともソフトウェアダウンロードデータの重要度及び実施予定時刻を含むトリガデータを受信するステップと、トリガデータを蓄積するステップと、番組の予約情報を蓄積するステップと、蓄積された予約情報と蓄積されたトリガデータの実施予定時刻との重複を判定するステップと、蓄積されたトリガデータの重要度を判定するステップと、重複判定結果及び重要度判定結果に基づいて、所定の通知画面を表示するステップと、を具備することを特徴とする。
【００２０】
本発明の第１２の発明に係るデジタル放送送信方法は、ソフトウェアダウンロードデータを蓄積するステップと、少なくとも蓄積されたソフトウェアダウンロードデータの重要度及び実施予定時刻に関する情報を含むトリガデータを作成するステップと、作成されたトリガデータを送信するステップと、を具備することを特徴とする。
【発明の効果】
【００２１】
本発明によれば、ユーザに予めＳＤＬの実施時刻を通知し、その時間帯においてＳＤＬ可能な状態にしておくことを促すことができ、ＳＤＬの実施率を上昇させることができる。
【００２２】
また、ＳＤＬの重要度に応じた処理を行うソフトウェアダウンロードシステムを提供でき、例えば、重要度の大きいＳＤＬを番組表に付加表示することで、ユーザにＳＤＬの実施を認知させることや、ユーザの番組視聴と重要度の大きいＳＤＬが重複した場合にＳＤＬを優先させることができ、前記結果として、ＳＤＬの実施率を上昇させることができる。
【発明を実施するための最良の形態】
【００２３】
（実施の形態１）
図１は、本発明の実施の形態１に係るソフトウェアダウンロードシステムを示すブロック図である。ソフトウェアダウンロードシステムは、デジタル放送送信装置１００と、デジタル放送受信装置２００から構成される。
【００２４】
デジタル放送送信装置１００は、ＳＤＬトリガデータ作成部１０１と、ソフトウェア蓄積部１０２と、ＡＶコンテンツ蓄積部１０３と、ＴＳ作成部１０４及び送信部１０５から構成される。
【００２５】
ＳＤＬトリガデータ作成部１０１は、ＳＤＬを実行させるためのＳＤＬトリガデータを作成する。ＳＤＬトリガデータは、少なくとも、ＳＤＬの重要度、ソフトウェアバージョン及び開始時間帯から構成される。ＳＤＬトリガデータについては、後程、図２を用いて詳述する。
【００２６】
ソフトウェア蓄積部１０２は、ＳＤＬトリガデータ作成部１０１が作成したＳＤＬトリガデータで示されるソフトウェア本体を蓄積する。
【００２７】
ＡＶコンテンツ蓄積部１０３は、番組を構成するデジタルの映像データと音声データから構成されるＡＶコンテンツを蓄積する。
【００２８】
ＴＳ作成部１０４は、ＳＤＬトリガデータ作成部１０１が作成したＳＤＬトリガデータ、ソフトウェア蓄積部１０２が蓄積したソフトウェア本体、及びＡＶコンテンツ蓄積部１０に蓄積されたＡＶコンテンツを多重化して、トランスポートストリーム（以下、ＴＳと称す）を作成する。ＴＳの構成については、後程、図３を用いて詳述する。
【００２９】
送信部１０５は、ＴＳ作成部１０４が作成したＴＳを伝送路符号化及び変調し、デジタル放送波として送信する。
【００３０】
デジタル放送受信装置２００は、受信部２０１と、ＴＳ処理部２０２と、制御部２０３と、データ蓄積部２０４と、ＳＤＬ重要度判定部２０５と、ＯＳＤ表示制御部２０６と、ＡＶ処理部２０７と、ＡＶ出力部２０８及び電源制御部２０９から構成される。
【００３１】
受信部２０１は、受信したデジタル放送波に復号化及び復調処理を行い、ＴＳとしてＴＳ処理部２０２へ出力する。
【００３２】
ＴＳ処理部２０２は、受信部２０１から入力されたＴＳをＳＤＬトリガデータ、ソフトウェア本体及びＡＶコンテンツに分離する。そして、制御部２０３で通知された番組に含まれるＡＶコンテンツをＡＶ処理部２０７へ出力する。また、ソフトウェア本体及びＳＤＬトリガデータをデータ蓄積部２０４へ出力する。
【００３３】
制御部２０３は、デジタル放送受信装置２００が選局している番組をＴＳ処理部２０２に通知する。また、ＳＤＬ重要度判定部２０５へＳＤＬ重要度判定要求を出力する。そして、ＳＤＬ重要度判定部２０５から入力された判定結果、及び電源制御部２０９から入力された電源状態通知に基づいて、ＯＳＤ表示制御部２０６へＳＤＬ用ＯＳＤ作成要求を出力する。また、データ蓄積部２０４から入力されたＳＤＬトリガデータに基づいて、データ蓄積部２０４に蓄積されたソフトウェア本体を不揮発メモリ（図示せず）に存在する現在のソフトウェアと入れ替える。
【００３４】
データ蓄積部２０４は、ＴＳ処理部２０２から入力されたＳＤＬトリガデータとソフトウェアを蓄積する。
【００３５】
ＳＤＬ重要度判定部２０５は、制御部２０３からＳＤＬ重要度判定要求が入力された場合に、データ蓄積部２０４が蓄積したＳＤＬトリガデータに基づき、ＳＤＬ重要度の判定を行い、判定結果を制御部２０３へ出力する。
【００３６】
ＯＳＤ表示制御部２０６は、制御部２０３からＳＤＬ用ＯＳＤ作成要求が入力された場合に、データ蓄積部２０４が蓄積したＳＤＬトリガデータに基づき、ＯＳＤ表示用データを作成してＡＶ出力部２０８へ出力する。
【００３７】
ＡＶ処理部２０７は、ＴＳ処理部２０２から入力されたＡＶコンテンツを、デジタルの映像データ及び音声データとしてＡＶ出力部２０８へ出力する。
【００３８】
ＡＶ出力部２０８は、ＡＶ処理部２０７から入力された映像データと、ＯＳＤ表示制御部２０６から入力されたＯＳＤ表示用データとを合成し、アナログデータへ変換した後、映像信号としてモニタ等の表示装置へ出力する。また、ＡＶ処理部２０７から入力された音声データを、アナログデータへ変換した後、音声信号としてスピーカ等の音声出力装置へ出力する。
【００３９】
電源制御部２０９は、デジタル放送受信装置２００の電源状態を管理し、電源状態が変化した場合に、制御部２０３へ電源状態通知を行う。
【００４０】
図２に、デジタル放送送信装置１００のＳＤＬトリガデータ作成部１０１で作成するＳＤＬトリガデータ７００の構成を示す。ＳＤＬトリガデータ７００は、ソフトウェア本体とは別に、ＳＤＬ実施時刻に先立ってデジタル放送波に多重化されて送信されるものである。ＳＤＬトリガデータ７００は、少なくとも、ＴＳ中でＳＤＬトリガデータを識別するための情報であるＳＤＬトリガデータ識別情報７０１と、ＳＤＬに関する情報であるＳＤＬ情報７０２から構成される。ＳＤＬトリガデータ識別情報７０１には、少なくともＳＤＬトリガデータを識別するためのＳＤＬトリガデータ識別ＩＤ、ＳＤＬトリガデータのデータ長であるＳＤＬトリガデータ長、ＳＤＬトリガデータが含まれるＴＳの識別ＩＤが記述される。また、ＳＤＬ情報７０２には、少なくともソフトウェア本体のバージョン番号、ＳＤＬの実施時刻（実施予定時刻）、ＳＤＬ重要度、ソフトウェア本体を識別するＩＤが記述される。
【００４１】
図３に、ＴＳの構成を示す。ＴＳ８００は、ＴＳヘッダ８０１とＴＳペイロード８０２から構成される。ＡＶコンテンツ、ＳＤＬトリガデータ及びソフトウェア本体はＴＳペイロード８０２に含まれる。
【００４２】
次に、本発明の実施の形態１におけるＳＤＬ重要度に応じた実施時刻表示について、図４に示すフローチャートを用いて説明する。
【００４３】
デジタル放送受信装置２００は、受信部２０１においてデジタル放送波８００を受信し、ＴＳ処理部２０２を介して図２に示すＳＤＬトリガデータ７００を抽出する（Ｓ１０１）。ＳＤＬ重要度判定部２０５は、抽出したＳＤＬトリガデータ７００を解析し（Ｓ１０２）、ＳＤＬ重要度の判定を行い（Ｓ１０３）、判定結果を制御部２０３へ通知する。
【００４４】
制御部２０３は、判定結果が「ＳＤＬ重要度が大」であった場合は（Ｓ１０４で「ＹＥＳ」）、電源制御部２０９からの電源状態通知を待ち、電源状態通知として「電源オン」が入力された場合に（Ｓ１０５で「ＹＥＳ」）、ＯＳＤ表示制御部２０６を介してＡＶ出力部２０８にＳＤＬ実施時刻を表示させる（Ｓ１０６）。ここで、ＳＤＬ実施時刻の表示画面を図５に示す。ＳＤＬ実施時刻の表示画面９００では、ＳＤＬ実施通知９０１に加え、ＳＤＬ実施時刻９０２を表示する。
【００４５】
そして、ＳＤＬ実施時刻までＳＤＬ実施時刻の表示を継続し（Ｓ１０７で「ＮＯ」、Ｓ１０４で「ＹＥＳ」、Ｓ１０５で「ＹＥＳ」、Ｓ１０６）、ＳＤＬ実施時刻になった場合に（Ｓ１０７で「ＹＥＳ」）、ＴＳ処理部２０２を介してソフトウェア本体をデータ蓄積部２０５へ蓄積し、データ蓄積部２０４に蓄積されたソフトウェア本体を不揮発メモリ（図示せず）に存在する現在のソフトウェアと入れ替える（Ｓ１０８）。
【００４６】
一方、判定結果が「ＳＤＬ重要度が小」であった場合（Ｓ１０４で「ＮＯ」）、あるいは電源状態通知として「電源オン」が入力されなかった場合は（Ｓ１０５で「ＮＯ」）、ＳＤＬ実施時刻の表示は行わず、ＳＤＬ実施時刻になった場合に（Ｓ１０７で「ＹＥＳ」）、制御部２０３にＳＤＬを実施させる（Ｓ１０８）。
【００４７】
なお、ここではＳＤＬ重要度が大と小の２通りの場合についての処理を示したが、重要度の種類とそれに対応する処理は上記に限定するものではない。また、ＳＤＬ実施時刻の表示は電源オン時以外にも、電源オフ時や所定の時刻前に行ってもよい。さらに、ＳＤＬ実施時刻表示に代えて、例えば、ＳＤＬ実施開始を示す情報（定型文、アイコン等）を表示し、表示された情報をリモコン等の入力装置で選択することによって、ＳＤＬ実施時刻情報を含む詳細な情報を表示するようにしてもよい。
【００４８】
本実施の形態１によれば、重要度の大きいＳＤＬでは、ＳＤＬ実施前にあらかじめＳＤＬ実施時刻を画面上に表示することにより、ユーザにＳＤＬ実施時間帯に主電源を切断せず、番組視聴を行わないよう促すことができる。前記結果、例えばＳＤＬ実施時刻に主電源が切断されていて、ＳＤＬが実施できないということや、ＳＤＬ実施中にユーザが番組視聴を行ってＳＤＬを中断してしまうという事態を避けることが可能となり、ＳＤＬの実施率が向上する。
【００４９】
（実施の形態２）
図６は、本発明の実施の形態２におけるソフトウェアダウンロードシステムを示すブロック図である。ソフトウェアダウンロードシステムは、デジタル放送送信装置３００と、デジタル放送受信装置４００から構成されており、ＳＤＬ重要度の大きいＳＤＬを番組表表示画面に表示する点で実施の形態１とは異なる。ここで、図１と同等の機能を有する構成については、同符号を付して説明を省略する。
【００５０】
デジタル放送送信装置３００は、ＳＤＬトリガデータ作成部１０１と、ソフトウェア蓄積部１０２と、ＡＶコンテンツ作成部１０３と、番組表データ作成部３０１、送信部１０５及びＴＳ作成部３０２から構成される。
【００５１】
番組表データ作成部３０１は、番組の名称、放送日時、内容の説明などから構成される番組表データを作成する。
【００５２】
ＴＳ作成部３０２は、ＳＤＬトリガデータ作成部１０１が作成したＳＤＬトリガデータ、ソフトウェア蓄積部１０２が蓄積したソフトウェア本体、ＡＶコンテンツ作成部１０３が作成したＡＶコンテンツ、及び番組表データ作成部３０１が作成した番組表データを多重化して、ＴＳを作成する。
【００５３】
デジタル放送受信装置４００は、受信部２０１と、入力部４０１と、ＴＳ処理部４０２と、制御部４０３と、データ蓄積部４０４と、ＳＤＬ重要度判定部２０５と、ＯＳＤ表示制御部４０５と、ＡＶ処理部２０７及びＡＶ出力部４０６から構成される。
【００５４】
入力部４０１は、リモコン等の入力装置（図示せず）から入力された番組表表示要求を制御部４０２へ出力する。
【００５５】
ＴＳ処理部４０２は、受信部２０１から入力されたＴＳをＳＤＬトリガデータ、ソフトウェア本体、番組表データ及びＡＶコンテンツに分離する。そして、ＳＤＬトリガデータ、番組表データ、ソフトウェア本体をデータ蓄積部４０４へ出力し、制御部４０３で通知された番組に含まれるＡＶコンテンツをＡＶ処理部２０７へ出力する。
【００５６】
制御部４０３は、受信装置４００が選局している番組をＴＳ処理部４０２へ通知する。また、ＳＤＬ重要度判定部２０５へＳＤＬ重要度判定要求を出力する。そして、ＳＤＬ重要度判定部２０５から入力された判定結果と入力部４０１から入力された番組表表示要求に基づいて、ＯＳＤ表示制御部４０５へＳＤＬ用番組表作成要求を出力する。また、データ蓄積部４０４から入力されたＳＤＬトリガデータに基づいて、データ蓄積部４０４に蓄積されたソフトウェア本体を不揮発メモリ（図示せず）に存在する現在のソフトウェアと入れ替える。
【００５７】
データ蓄積部４０４は、ＴＳ処理部４０２から入力されたＳＤＬトリガデータ、番組表データ、ソフトウェア本体を蓄積する。
【００５８】
ＯＳＤ表示制御部４０５は、制御部４０３からＳＤＬ用番組表作成要求が入力された場合に、データ蓄積部４０４が蓄積したＳＤＬトリガデータ及び番組表データに基づき、番組表データを作成してＡＶ出力部４０６へ出力する。
【００５９】
ＡＶ出力部４０６は、ＡＶ処理部２０７から入力された映像データと、ＯＳＤ表示制御部４０５から入力された番組表データとを合成し、あるいは切り替え、アナログデータへ変換した後、映像信号としてモニタ等の表示装置へ出力する。また、ＡＶ処理部２０７から入力された音声データを、アナログデータへ変換した後、音声信号としてスピーカ等の音声出力装置へ出力する。
【００６０】
次に、本発明の実施の形態２における重要度に応じたＳＤＬの番組表表示について、図７に示すフローチャートを用いて説明する。図４と同処理については、同符号を付して説明を省略する。
【００６１】
デジタル放送受信装置４００では、制御部４０３において、ＳＤＬ重要度の判定結果が「ＳＤＬ重要度が大」であった場合は（Ｓ２０１で「ＹＥＳ」）、ＯＳＤ表示制御部４０５に対しＳＤＬ実施時刻の番組表データへのマージを行わせ（Ｓ２０２）、入力部４０１において番組表表示要求があった場合は（Ｓ２０３で「ＹＥＳ」）、ＡＶ出力部４０６にＳＤＬ実施時刻が付加された番組表を表示させる（Ｓ２０４）。ここで、ＳＤＬ実施時刻が付加された番組表の表示画面を図８に示す。番組表表示画面１０００では、従来の番組表１００１に新たにＳＤＬ表示欄１００２が追加して表示される。ＳＤＬ表示欄１００２では、ＳＤＬトリガデータに記述されたＳＤＬの実施時刻に基づき、どの時刻にＳＤＬが実施されるかを番組表形式で表示する。
【００６２】
一方、判定結果が「ＳＤＬ重要度が小」であった場合は（Ｓ２０１で「ＮＯ」）、ＳＤＬ実施時刻が付加された番組表の表示は行わない。
【００６３】
なお、ここではＳＤＬ重要度が大と小の２通りの場合についての処理を示したが、重要度の種類とそれに対応する処理はこれに限定するものではない。例えば、重要度に応じて番組表のＳＤＬ表示欄を色づけして表示してもよい。また、ＳＤＬが実施可能な場合と不可能な場合に応じて、その表示の仕方を変化させてもよい。例えば、既にＳＤＬ実施時刻が過ぎてしまった場合や、天候が悪くＳＤＬデータを正常に受信できないと判断できる場合のＳＤＬに関しては、番組表表示画面１０００上で他のＳＤＬ時刻表示と異なる色づけを表示したり、実施不可能の文字を追加して表示してもよい。
【００６４】
本実施の形態２によれば、重要度の大きいＳＤＬでは、ユーザが日常使用する番組表の中にＳＤＬ実施時刻情報を表示させることができ、ユーザは日常の視聴行動の中で、ＳＤＬ実施時刻を知ることができる。前記結果、ユーザがＳＤＬ実施時間帯にＳＤＬが行われているとは知らずに主電源を切断したり、番組視聴をしてしまったりという事態を回避することができ、ＳＤＬの実施率が向上する。
【００６５】
（実施の形態３）
図９は、本発明の実施の形態３におけるソフトウェアダウンロードシステムを示すブロック図である。ソフトウェアダウンロードシステムは、デジタル放送送信装置３００と、デジタル放送受信装置６００から構成されており、ＳＤＬ実施時刻と番組視聴録画予約時刻とが重複した場合にＳＤＬ重要度に応じた処理を行う点で実施の形態２とは異なる。ここで、図６と同等の機能を有する構成については、同符号を付して説明を省略する。
【００６６】
デジタル放送受信装置６００は、受信部２０１と、ＴＳ処理部４０１と、制御部６０２と、データ蓄積部６０３と、ＳＤＬ重要度判定部２０５と、ＯＳＤ表示制御部６０４と、ＡＶ処理部２０７と、ＡＶ出力部６０５と、入力部６０６及び予約管理部６０１から構成される。
【００６７】
予約管理部６０１は、制御部６０２から入力された番組予約データを管理する。
【００６８】
制御部６０２は、入力部６０６から入力された予約情報及びデータ蓄積部６０３が蓄積した番組表データに基づいて、予約した番組を識別するＩＤから構成される番組予約データを作成し、予約管理部６０１へ出力する。また、デジタル放送受信装置６００が選局している番組をＴＳ処理部４０１へ通知する。また、ＳＤＬ重要度判定部２０５へＳＤＬ重要度判定要求を出力する。そして、ＳＤＬ重要度判定部２０５から入力された判定結果及び予約管理部６０１が管理する番組予約データに基づいて、ＯＳＤ表示制御部６０４への重複通知作成要求の出力、データ蓄積部６０３へのＳＤＬ実施可否情報の出力を行う。さらに、データ蓄積部６０３から入力されたＳＤＬトリガデータとＳＤＬ実施可否情報に基づいて、データ蓄積部６０３に蓄積されたソフトウェア本体を不揮発メモリ（図示せず）に存在する現在のソフトウェアと入れ替える。
【００６９】
データ蓄積部６０３は、制御部６０２から入力されたＳＤＬトリガデータ、番組表データ、ソフトウェア本体及びＳＤＬ実施可否情報を蓄積する。
【００７０】
ＯＳＤ表示制御部６０４は、制御部６０２から重複通知作成要求が入力された場合に、データ蓄積部６０３が蓄積したＳＤＬトリガデータに基づき、重複通知データを作成してＡＶ出力部６０５へ出力する。
【００７１】
ＡＶ出力部６０５は、ＡＶ処理部２０７から入力された映像データと、ＯＳＤ表示制御部６０４から入力された重複通知データとを合成し、アナログデータへ変換した後、映像信号としてモニタ等の表示装置へ出力する。また、ＡＶ処理部２０７から入力された音声データを、アナログデータへ変換した後、音声信号としてスピーカ等の音声出力装置へ出力する。
【００７２】
入力部６０６は、リモコン等の入力装置（図示せず）から入力された予約情報を制御部６０２へ出力する。
【００７３】
次に、本発明の実施の形態３における重要度に応じたＳＤＬの重複処理制御について、図１０に示すフローチャートを用いて説明する。図７と同処理については、同符号を付して説明を省略する。
【００７４】
デジタル放送受信装置６００では、制御部６０２において、ＳＤＬ実施時刻と番組予約データ内の番組視聴録画時間帯（番組視聴録画開始時刻から番組視聴録画停止時刻までの時間帯）のいずれかが重複した場合であって、ＳＤＬ重要度の判定結果が「ＳＤＬ重要度が大」であった場合は（Ｓ３０１で「ＹＥＳ」、Ｓ３０２で「ＹＥＳ」）、ＯＳＤ表示制御部６０４を介してＡＶ出力部６０５にＳＤＬを優先する旨を示す重複通知画面を表示させると共に（Ｓ３０３）、ＳＤＬ実施可否情報として「ＳＤＬ実施可」をデータ蓄積部６０３に蓄積させる。
【００７５】
また、ＳＤＬ実施時刻と番組予約データ内の番組視聴録画時間帯のいずれかが重複した場合であって、ＳＤＬ重要度の判定結果が「ＳＤＬ重要度が小」であった場合は（Ｓ３０１で「ＹＥＳ」、Ｓ３０２で「ＮＯ」）、ＯＳＤ表示制御部６０４を介してＡＶ出力部６０５に番組予約を優先する旨を示す重複通知画面を表示させると共に（Ｓ３０４）、ＳＤＬ実施可否情報として「ＳＤＬ実施否」をデータ蓄積部６０３に蓄積させる。
【００７６】
ここで、ＡＶ出力部６０５に表示する重複通知画面を図１１に示す。重複通知画面１１０では、ＳＤＬを優先するか番組予約を優先するかを表示する。
【００７７】
一方、制御部６０２において、ＳＤＬ実施時刻と番組予約データ内の番組録画時間帯のいずれかも重複しない場合は（Ｓ３０１で「ＮＯ」）、重複通知画面の表示は行わない。
【００７８】
そして、ＳＤＬ実施時刻まで上記処理を継続し（Ｓ３０１からＳ３０５で「ＮＯ」）、ＳＤＬ実施時刻になった場合は（Ｓ３０５で「ＹＥＳ」）、データ蓄積部６０３に蓄積されたＳＤＬ実施可否情報に基づいて、ＳＤＬの実施あるいはＳＤＬの実施キャンセルを行う（Ｓ３０６）。
【００７９】
なお、重複通知画面１１００に、例えば「はい」「いいえ」などユーザの同意を得るためのボタンを追加し、入力部６０１を介して入力されるユーザの希望を最終判断としてＳＤＬ実施可否情報を作成してもよい。
【００８０】
また、ＳＤＬ実施と番組予約の重複に関して説明を行ったが、ＳＤＬ実施とユーザの視聴行動とが重複した場合においても、例えば、ＳＤＬ実施中に番組視聴しようとした場合に、重複通知画面１１００を表示し、ユーザの最終判断を得た上で優先すべき処理を決定し、実行するようにしてもよい。
【００８１】
本実施の形態３によれば、ＳＤＬ実施とユーザ行為が重複した場合に、ＳＤＬ重要度に応じて優先する処理を変えることができる。さらに、優先する処理をユーザに通知することで、ユーザは容易にどの処理が実施される予定なのかを確認することができ、確認後、優先して実行される処理に満足できない場合には、ユーザが予約を再設定することできる。前記結果、従来のＳＤＬではユーザ行為と重複した場合、ユーザはＳＤＬと重複したことを知らぬままであったことが、ＳＤＬ実施に意識を働かせることができ、ＳＤＬ実施率を向上させることができる。
【産業上の利用可能性】
【００８２】
本発明のソフトウェアダウンロードシステムは、ユーザに予めＳＤＬの実施時刻を通知することや、ＳＤＬの重要度に応じた処理を行うことで、ＳＤＬの実施率を上昇させることができ、ネットワークを介してソフトウェアのバージョンアップが可能なソフトウェアダウンロード機能を有する機器に関して有用である。
【図面の簡単な説明】
【００８３】
【図１】本発明の実施の形態１におけるソフトウェアダウンロードシステムの構成を示すブロック図
【図２】ＳＤＬトリガデータのデータフォーマットを示す図
【図３】ＴＳのパケット構成を示す図
【図４】本発明の実施の形態１におけるＳＤＬ実施時刻表示処理を示すフローチャート
【図５】本発明の実施の形態１におけるＳＤＬ実施時刻表示の表示画面を示す図
【図６】本発明の実施の形態２におけるソフトウェアダウンロードシステムの構成を示すブロック図
【図７】本発明の実施の形態２における番組表へのＳＤＬ付加表示処理を示すフローチャート
【図８】本発明の実施の形態２におけるＳＤＬを付加表示した番組表の表示画面を示す図
【図９】本発明の実施の形態３におけるソフトウェアダウンロードシステムの構成を示すブロック図
【図１０】本発明の実施の形態３における重要度に応じた重複処理を示すフローチャート
【図１１】本発明の実施の形態３における重要度に応じた重複通知画面を示す図
【符号の説明】
【００８４】
１００、３００    デジタル放送送信装置
１０１    ＳＤＬトリガデータ作成部
１０２    ソフトウェア蓄積部
１０３    ＡＶコンテンツ蓄積部
１０４、３０２    ＴＳ作成部
１０５    送信部
３０１    番組表データ作成部
２００、４００、６００    デジタル放送受信装置
２０１    受信部
２０２、４０２    ＴＳ処理部
２０３、４０３、６０２    制御部
２０４、４０４、６０３    データ蓄積部
２０５    ＳＤＬ重要度判定部
２０６、４０５、６０４    ＯＳＤ表示制御部
２０７    ＡＶ処理部
２０８、４０６、６０５    ＡＶ出力部
２０９    電源制御部
４０１、６０６    入力部
６０１    予約管理部
【図１】
2006287406.tif 000003
【図２】
2006287406.tif 000004
【図３】
2006287406.tif 000005
【図４】
2006287406.tif 000006
【図５】
2006287406.tif 000007
【図６】
2006287406.tif 000008
【図７】
2006287406.tif 000009
【図８】
2006287406.tif 000010
【図９】
2006287406.tif 000011
【図１０】
2006287406.tif 000012
【図１１】
2006287406.tif 000013